(57)【要約】【課題】浴室を出ることなくシャンプーやリンスの詰替え作業を行うため、浴室内にて詰替えパックを、見た目を良くしながら衛生的に収納すること【解決手段】不透過のプラスチックで全体を覆い、内部に収納してある詰替えパックを外部から視認できないようにする。水が内部に入らないようにかぶせ蓋にして開閉を容易にしつつ、内部への水の侵入を防ぐ。浴室内で詰替えパックの出し入れの際に侵入した水は、本体内部の底に水抜き穴を設け、その穴に向かって水が流れるように傾斜させ、正面下部の開口部より流れ落ちた水を外部へと流出させる。蓋が閉まっている状態であっても蓋と本体の間に隙間があり、背面上部に開口部を設け、浴室不使用時において通気により乾燥させる。清掃を容易にするため、手や清掃道具の届きにくい狭い部分、例えば網目や複雑な構造をなるべく少なくし、単純な構造にすることで清掃を容易にする。【選択図】図１
2019181045.tif 000002
【特許請求の範囲】
【請求項１】
本体及び蓋は不透過のプラスチックにて成形し、内部収納スペースが外部から視認不可であり、内部が仕切りで区切られた複数の収納スペースを有し、水が内部に侵入するのを防止するため開閉するかぶせ蓋を有しており、かぶせ蓋は回動自在とし、正面から上部に向かって開閉する機能を有し、蓋が閉まっている状態であっても蓋と本体の間に隙間があり、本体内部と外部を通気させ、内部収納スペースの底部の中心に貫通穴があり、底部外側から中央貫通穴に向かって傾斜して蓋開閉時に侵入した水を下部へ流出させ、正面下部の開口部より流れ落ちた水を外部へと流出させる、浴室内詰替えパック収納箱。
【発明の詳細な説明】
【技術分野】
【０００１】
本発明は、浴室内でシャンプーやリンスやボディーソープの詰替え作業を即座に行うため、浴室内に詰替えパックを収納することのできる収納箱に関する。
【背景技術】
【０００２】
従来の浴室内収納には、複数段の収納部材がある。
しかし、従来の浴室内収納では詰替えパックを置いた場合、詰替えパックが外部から目視できるため、見た目が良くない。
【発明の概要】
【発明が解決しようとする課題】
【０００３】
本発明の課題は、浴室を出ることなくシャンプーやリンスの詰替え作業を行うため、浴室内にて詰替えパックを、見た目を良くしながら衛生的に収納することである。
以下に具体的な課題を挙げる。
1、詰替えパックが外部より視認可能であると見た目が良くないため、詰替えパックを外部から視認不可にすること。
2、浴室内にて使用するため、基本的に本発明品の内部に水が入らないようにする。
3、浴室内で詰替えパックの出し入れを行うため、内部に水が入るのは不可避であり、その際に内部の水抜きをする。
4、浴室内にて長時間使用する特性上、内部にカビ等が発生することは不可避であり、その際の清掃を容易にする。
【課題を解決するための手段】
【０００４】
本発明は、課題を解決するために、不透過のプラスチックで全体を覆い、内部に収納してある詰替えパックを外部から視認できないようにする。
また、浴室内にて使用する特性上、水がかかる状況下にあるため、水が内部に入らないようにかぶせ蓋にして開閉を容易にしつつ、内部への水の侵入を防ぐ。
しかし、浴室内で詰替えパックの出し入れを行うため、内部に水が入るのは不可避であり、その対策として本体内部の底に水抜き穴を設け、その穴に向かって水が流れるように傾斜させる。底部の穴から流れ落ちた水が外部へと流れやすくするため、正面下部に開口部を設ける。
本発明品は、収納するための箱であるため、浴室内の壁際に設置されることが容易に推察され、浴室の特性上、壁から反対方向に水が流れるように設計されていることから、正面下部に開口部を設ける。側面と背面には、下部に開口部を設けない。これは、水抜きのための細かい開口部があるとその開口部にカビが発生し、細かい部分は清掃が困難になり、底部に接する面積が減ると本体の安定性が悪くなるためである。
また、蓋が閉まっている状態であっても蓋と本体の間に隙間があり、背面上部に開口部を設け、浴室不使用時において通気により乾燥させる。
そして、浴室内にて長時間使用する特性上、内部にカビ等が発生することは不可避であり、その際の清掃を容易にするため、手や清掃道具の届きにくい狭い部分、例えば網目や複雑な構造をなるべく少なくし、単純な構造にすることで清掃を容易にする。
【発明の効果】
【０００５】
浴室を出ることなくシャンプーやリンスの詰替え作業を行うことで、脱衣所を濡らしたり、大声を出して他者に詰替えパックを持ってきてもらうことをなくす。
【図面の簡単な説明】
【０００６】
【図１】斜視図
【図２】蓋が開いた状態の上から見た天面図。点線は、かくれ線である。
【図３】蓋が開いた状態の正面図。点線は、かくれ線である。
【図４】蓋が開いた状態の側面図。点線は、かくれ線である。
【図５】蓋が開いた状態の背面図。点線は、かくれ線である。
【図６】蓋を取り外した状態で水抜き穴中央を起点にした正面図の断面図。点線は、かくれ線である。
【図７】蓋を取り外した状態で水抜き穴中央を起点にした側面図の断面図。点線は、かくれ線である。
【図８】蓋が閉まっている状態の正面図。点線は、かくれ線である。
【図９】蓋が閉まっている状態の側面図。点線は、かくれ線である。
【図１０】蓋が閉まっている状態の背面図。点線は、かくれ線である。
【発明を実施するための形態】
【０００７】
本発明は、内部が仕切りで区切られた複数の収納スペースを有し、水が内部に侵入するのを防止するため開閉するかぶせ蓋を有している。
本体背面上部に左右外側に向かって円柱状の突起があり、その円柱の外径と同径の貫通穴がかぶせ蓋に設けてあり、本体の突起とかぶせ蓋の貫通穴が篏合することにより、円柱状の突起の中心を起点としてかぶせ蓋は回動自在とし、正面から上部に向かって開閉する。
蓋が閉まっている状態であっても蓋と本体の間に隙間があり、背面上部に開口部を設け、本体内部と外部を通気させる。
内部収納スペースの底部の中心に貫通穴があり、穴部分は内部収納スペースの底部において最も低い位置にある。貫通穴以外の内部収納スペースの底部は、底部外側から中央貫通穴に向かって傾斜しており、蓋開閉時に侵入した水を、重力により貫通穴から外部へ流出させる。
正面下部に開口部が設けられており、内部収納スペースの底部の穴から流れ落ちた水を外部へと流出させる。
本体及び蓋は、不透過のプラスチックにて成型し、内部収納スペースを外部から視認できないようにする。
カビ等が発生した際に、清掃を容易にするため構造を単純にし、凹凸を最低限とし、網目等清掃を困難にする構造を用いない。
【実施例】
【０００８】
シャンプーやリンスやボディーソープの詰替えパックを、本発明の内部収納スペースに収納し、浴室内に設置する。
浴室内にて、シャンプーやリンスやボディーソープを使用し、内容物が無くなった際に、本発明品の蓋を開き、詰替えパックを取り出し、シャンプーやリンスやボディーソープの内容物を充填する。
使用済みの詰替えパックの容器は、丸めて元の収納スペースに入れておく。
浴室不使用時に、補充するための詰替えパックを、使用済みの詰替えパックの容器と入れ替える。
【符号の説明】
【０００９】
1  かぶせ蓋
2  本体背面上部回動突起部支え
3  本体背面上部回動突起部
4  本体
5  内部収納スペース底部左右方向傾斜部
6  内部収納スペース底部前後方向傾斜部
7  内部収納スペース底部貫通穴
8  正面下部開口部
9  背面上部通気開口部
【図１】
2019181045.tif 000003
【図２】
2019181045.tif 000004
【図３】
2019181045.tif 000005
【図４】
2019181045.tif 000006
【図５】
2019181045.tif 000007
【図６】
2019181045.tif 000008
【図７】
2019181045.tif 000009
【図８】
2019181045.tif 000010
【図９】
2019181045.tif 000011
【図１０】
2019181045.tif 000012